(57)【特許請求の範囲】
【請求項１】
三相をなす分散体を形成させ、第１の相は凝集混合物を含有する小滴からなり、第２の相は液移動相からなりそして第３の相は所望の物質が結晶しうる表面を含み、ここで第３の相中に所望の物質の結晶生長のための化学ポテンシャルが存在し、これによって第１の相から第２の相を通って、所望の物質が結晶化する第３の相に至る所望の物質の流れが形成され、凝集混合物から所望の物質を分離する方法であって、小滴の生成のギブスの自由エンタルピー（△Ｇ）が＜０であること、分散体が界面活性剤を含有すること、小滴の直径が500nmより小さいことおよび第１の相と第２の相とが一緒にマイクロエマルジョンを形成することを特徴とする上記方法。
【請求項２】
小滴の直径が５〜200nmである請求項１に記載の方法。
【請求項３】
分散体がさらに溶媒を含有する請求項１または２に記載の方法。
【請求項４】
分散体がさらにアルコールを含有する請求項１から３のいずれか１項に記載の方法。
【請求項５】
第３の相を所望の物質の種結晶を第２の相に導入することによって形成させる請求項１から４のいずれか１項に記載の方法。
【請求項６】
第１の相および第２の相が水中油分散体または油中水分散体を含有する請求項１から５のいずれか１項に記載の方法。
【請求項７】
バッチ操作で行われる請求項１から６のいずれか１項に記載の方法。
【請求項８】
連続操作で行われる請求項１から６のいずれか１項に記載の方法。
【発明の詳細な説明】
本明細書に記載される発明は分離方法の分野に属し、特に物質の凝集混合物から所望の物質を分離する結晶化方法に関する。
発明の背景
慣用の結晶化は、溶媒を固体物質で飽和した後、温度を低下させるかまたは溶媒を蒸発させることにより過飽和を誘導することを含んでいる。結晶化速度は冷却または蒸発の速度によって、すなわち熱力学的平衡からの偏位の程度によって影響をうける可能性がある。
結晶化速度あるいは平衡段階における、結晶表面での分子の交換速度は、慣用の結晶化方法にあっては極めて大きく、また「不適切な」分子が別な分子によって捕捉される確率はかなり高い。従って慣用の結晶化は、最適化されたクロマトグラフィー法の場合にしばしば認められるように、ある種の結晶表面の異なる分子の吸着エネルギーの可能な最大の差を極めて限定された程度にしか反映せず、また引き続いて形成される結晶の層による「分子捕捉」の高度に動的な状況をある程度反映する。
化合物の混合物の乳化結晶化による精製は既知である。乳化結晶化法では、混合物の乳化された小滴をつくり、次いで混合物の一つの成分の種結晶を添加してこの成分を選択的に結晶化するか、あるいは乳濁液を冷却して結晶化を誘導することにより混合物が精製される
0004157602.tif 000002
これらの乳化結晶化法は有効であるが、いくつかの欠点も有している。まず、乳濁液の生成には高剪断装置が必要であり、これは処理の観点からは好ましくない。第２に、乳濁液は熱力学的に不安定な傾向があるので、乳化小滴は合着するかあるいは「油分離する」（“oil out”）傾向がある。加えて予想される乳化された小滴のサイズ（典型的には0.5〜50μm）は、ある種の混合物について小滴内での好ましくない自然結晶化を起させる十分に大きいものである。
発明の詳述
本明細書に記載する結晶化方法は、三相の分散体が形成され、第１の相は凝集混合物を含有する小滴からなり、第２の相は液移動相からなり、そして第３の相は所望の物質が結晶化しうる表面を含み、ここで第３の相中に所望の物質の結晶生長のための化学ポテンシャルが存在し、これによって第１の相から第２の相を通って、所望の物質が結晶化する第３の相に至る所望の物質の流れが形成される、凝集混合物から所望の物質を分離する方法であって、小滴の生成のギブスの自由エンタルピー（△Ｇ）が＜０であることを特徴とする上記方法に関する。このような小滴は自然に生成し、熱力学的に安定であり、そして小滴内での自然結晶化を防止する十分に小さいものである。
本発明の方法の第１の相および第２の相は一緒になって当技術分野でマイクロエマルジョンとして知られるものを形成する。マイクロエマルジョンはその小滴が一般に透明であり、このため各特定の結晶化過程を観察しそしてモニターするのが容易になる。
さらにマイクロエマルジョンの小滴は、マクロエマルジョンと比べて表面積が著しく増大した第１の相と第２の相との間の界面をなす。表面積が大きくなる程、第１の相から第２の相への物質の流れをより速くすることができ、これによって結晶化の速度をより大きくすることができる。結晶化速度の高速化は機構のスケールアップおよび商業化の観点から有利である。
本発明の方法はバッチ操作または連続操作で実施してよい。
本明細で用いる「所望の物質」とは、−130℃以上、好ましくは−78℃以上、一層好ましくは−20℃以上の融点を有する無機および有機の物質をさす。本発明の方法は、特にこれまで精製が困難であった物質、構造異性体、立体異性体、つまりシス／トランス異性体、ジアステレオマー、エナンチオマーなど、および同族体を指向する。所望の物質は医薬、農薬、香料、食品添加剤、化学中間体またはこれらに類するものであってよい。
本明細書で用いる「凝集混合物」とは、所望の物質と一種以上の不純物とを含有する混合物をさす。凝集混合物は液体もしくは固形物または液体と固形物であってよい。凝集混合物は場合によって一種以上の溶媒に溶解されるかあるいはその中で分散されてよい。凝集混合物の小滴は一般的には一種以上のアルコールを用いて生成されるが、その際アルコールは分散体に外部から添加するか、あるいは凝集混合物そのものによって付与されてよい。
加えて小滴の形成は以下に述べる一種以上の界面活性剤によって促進することもできる。界面活性剤は分散体に外部から添加されるか、あるいは凝集混合物そのものによって付与されてよい。
小滴は500nmより小さく、好ましくは200nmより小さい、例えば５〜200nmの直径を有するであろう。この寸法の小滴は当技術分野で一般にマイクロエマルジョンと称されるものを分散体内で形成する。
ギブスの生成自由エンタルピー（△Ｇ）が＜０であるため、小滴は以下に述べる第２の相内で自然に生成する。しかしながらこの小滴の生成は撹拌の使用、例えば緩慢なかきまぜ、振盪、ポンピングまたは超音波によって促進させることができる。凝集混合物は所望の物質を一種以上を含んでよいことを理解すべきである。所望の物質は選択により個々にまたは同時に凝集混合物から分離されてよい。
第３の相で結晶化する前に所望の物質が通過して流れる移動相として機能する系の第２の相は液体であり、また溶解特性、核化特性および所望の物質に関する結晶化工程の選択に基づいて選定される。所望の物質の第２の相での溶解度は、第１の相での溶解度より低いのが好ましい。
所望の物質が水不溶性であるかまたは実質的に水不溶性であるような場合、第２の相は極性かつ親水性であるのが好都合である。
第２の相はその中での所望の物質の溶解度および（または）第２の相の凝固点を調整するための薬剤をさらに含有してよい。第２の相が水であるような場合、このような薬剤はCaCl2、NaCl、KCl、MgCl2、AlCl3のような水溶性無機塩またはアルコール、エーテル、ケトン、エステル、ラクトン、ジメチルスルホキシド（DMSO）およびアセトニトリルのような水混和性有機液体であるのが好都合である。水混和性有機液体が好ましい。
以下に、第１の相または第２の相で使用するのに好適な溶媒および溶媒添加剤のリストを示す。
Ｉ．室温での水溶性が≦５％v／vである非極性の親油性溶媒および添加剤。これには以下のようなものがある。
１．ポリエチレン、ポリプロピレン、シクロアルカン（例えばシクロペンタン、シクロヘキサン）を含む、一般式-（CnH2n+2）-を有するｎ−アルカン、ｉ−アルカンまたは分枝アルカンのようなアルカン類；
２．シクロアルケン（シクロヘキセン、テルペン）、ジアルケンまたはポリアルケンを含む、一般式-（CnH2n）-を有するｎ−アルケン、ｉ−アルケンまたは分枝アルケンのようなアルケン類；
３．シクロアルキン、ジアルキンまたはポリアルキンを含む、一般式-（CnH2n-2）-を有するｎ−アルキン、ｉ−アルキンまたは分枝アルキンのようなアルキン類；
４．未置換芳香族（例えばベンゼン、ナフタレン）、置換芳香族例えばアルキル化芳香族（例えばトルエン、キシレン、高級アルキル化ベンゼン、アルキル化ナフタレン）、複素置換芳香族例えばハロゲン化芳香族（例えばクロロベンゼン、ヘキサフルオロベンゼン）および（または）ニトロ化芳香族（例えばニトロベンゼン）、ヘテロ芳香族例えばピリジン、フラン、チオフェンならびにポリマー例えばポリスチレンのような芳香族化合物；
５．鉱油、合成油、穀物油および（または）シリコーン油（例えばヒマシ油、メチルオレエート、ポリシロキサン）；
６．CH2Cl2、CHCl3、CCl4、トリクロロエタン、トリクロロエテン、ポリビニルクロライドのようなハロゲン化炭化水素類；
７．CS2、CO2；
８．合計炭素数が≧４である、一般式（CnHm）O（CxHy）を有するｎ−エーテル、ｉ−エーテルまたは分枝エーテル（例えばジエチルエーテル、第３−ブチルメチルエーテル（TBME））のようなエーテル類；
９．合計炭素数が≧４である、一般式CnHmCHOを有するｎ−アルデヒド、ｉ−アルデヒドまたは分枝アルデヒドのようなアルデヒド類；
10．合計炭素数が≧６である、（CnHm）CO（CxHy）を有するケトン（例えば２−ヘキサノン、メチル−ｔ−ブチルケトン）または炭素数が約≧６であるシクロケトンのようなケトン類；
11．合計炭素数が≧５である一般式（CnHm）COO（CxHy）を有する、ｎ−エステル、ｉ−エステルまたは分枝エステル、例えばジ（−メチル−、−イソデシル−、−イソウンデシル−、−イソトリデシル−）フタレートのようなジエステル、カルボン酸ジエステル、油および脂肪のようなトリエステルおよびポリエステルのようなエステル類；
12．N-,N-ジメチルラウリルアミドおよびポリアミドのようなアミド類；
13．（Ｎ−オクチル−Ｎ−ドデシル−）ピロリドンのようなラクタム類；
14．合計炭素数が≧５である、一般式（1,2,…）（CnHm）OHを有するｎ−、ｉ−、分枝または環式のアルカノール、アルケノール、アルキノール、芳香族アルコールおよび環式アルコール（例えば２−ヘキサノール、シクロヘキサノール、ベンジルアルコールおよびテルピノール）；
15．第１級、第２級および第３級アミン例えば合計炭素数が≧６である、一般式（CnHm）NH2を有するｎ−、ｉ−または分枝のアミン（例えばドデシルアミン）。
II．非極性で親油性相および極性で親水性の相の双方に可溶性の、室温の水溶性が＞５％v／vであり、そして室温のメチルオレエートへの溶解度が＞５％v／vである、両親媒性溶媒。これには以下のようなものがある。
１．エーテル例えばテトラヒドロフラン（THF）、ポリエーテル類例えばジメトキシエタン（DME）、ジオキサン、トリオキサン、ポリエチレングリコール（PEG）、ポリプロピレングリコール（PPG）；
２．合計炭素数が≦５である、一般式（1,2,…）（CnHm）OHを有するｎ−アルコール、ｉ−アルコール、環式アルコールまたは分枝アルコール（例えばイソプロパノール、イソブタノール、シクロブタノール、シクロペンタノール）、芳香族アルコール例えばフェノール、フルフリルアルコール、ジオール例えばプロピレングリコール、ブタンジオール、ハイドロキノンまたはポリオール；
３．アミノアルコール類例えばエタノールアミン、ジエタノールアミン、トリエタノールアミン；
４．合計炭素数が≦７である、一般式（1,2,…）（CnHm）NH2を有するｎ−アミン、ｉ−アミンまたは分枝アミンのような第１級、第２級および第３級アミン（アニリン、シクロヘキシルアミン、ピリジン、モルホリン）、ポリアミン；
５．合計炭素数が≦３であるアルデヒド類（例えばホルムアルデヒド、アセトアルデヒド）；
６．合計炭素数が≦６である、一般式（CnHm）CO（CxHy）を有するｎ−ケトン、ｉ−ケトンまたは分枝ケトンのようなケトンまたは環式ケトン（アセトン、２−ブタノン、シクロヘキサン）；
７．合計炭素数が≦４である、一般式（CnHm）COO（CxHy）を有するｎ−エステル、ｉ−エステルまたは分枝エステルのようなエステル類、ジエステル、トリエステル（エチレングリコールジアセテート、ジメチルアジペート、ジメチルグルタメート、ジメチルスクシネート、トリメチルホスフェート）；
８．ラクトン類例えばγ−ブチロラクトン；
９．アミド類例えばホルムアミド、ジメチルホルムアミド（DMF）、アセトアミド；
10．ラクタム類例えば（Ｎ−メチル−、Ｎ−エチル−、Ｎ−イソプロピル−、Ｎ−ヒドロキシエチル−）ピロリドン；
11．他の複素環式化合物例えばイミダゾール、トリアゾール；
12．合計炭素数が≦５である、一般式CnHmCOOHを有するｎ−炭素酸、ｉ−炭素酸または分枝炭素酸のような炭素酸類。
III．メチルオレエートへの溶解度が≦５％v／vである、極性で親水性の溶媒または溶媒添加剤。これには以下のようなものがある。
１．水；
２．DMSO；
３．ジカルボン酸またはポリカルボン酸（例えば蓚酸；酒石酸）；
４．選択されたジアルコールまたはポリアルコール（例えばエタンジオール、グリセリン、PVA）；
５．アミノ酸；
６．蔗糖。
IV．キラル溶媒および添加剤。これにはカンフェン、メントール、フェンチョン、ニコチン、エフェドリン、２−アミノ−１−ブタノール、マンデル酸およびそのエステル、乳酸およびそのエステル、カンファー酸およびそのエステル、カンフェン−10−スルホン酸およびそのエステル、Mosher酸、酒石酸およびそのエステル例えば天然および合成のメンチル−α−アミノ酸およびドデシル−α−アミノ酸、そしてそれらの誘導体、蔗糖およびその誘導体（例えばビタミンＣ）が含まれる。
水中油（ｏ／ｗ）分散体を使用する本発明の態様のために、マイクロエマルジョンの小滴は分散体に添加される一種以上のアルコールを用いて形成するのが有利である。このようなアルコールにはイソ−ブタノール、１−ブタノール、２−ブタノール、２−ペンタノール、２−ヘキサノール、２−オクタノール、シクロペンタノール、シクロヘキサノール、ベンジルアルコール、テルピノールおよびフルフリルアルコールがある。これらのアルコールは２〜80重量％、好ましくは３〜50重量％、より好ましくは５〜40重量％の量で分散体中に存在する。
ｏ／ｗ分散体中でのマイクロエマルジョンの小滴の形成は、一種以上の非イオン性および（または）陰イオン性の界面活性剤を分散体に添加することによって促進させることもできる。非イオン界面活性剤にはエトキシル化ヒマシ油、蔗糖エステル、蔗糖エーテル、エトキシル化アルカノール、エトキシル化アルキルフェノール、アセチレンジオール（例えば2,4,7,9テトラメチル−５−デシン−4,7−ジオール）がある。陰イオン界面活性剤にはアルキルアレンスルホネート例えばドデシルベンゼンスルホネート、スルホスクシネート例えばジオクチルスルホスクシネート、（エトキシル化）アルキルサルフェート（例えばラウリルサルフェート、ラウリルエーテルサルフェート）、〔モノ（トリスチリルフェニルまたはジ（トリスチリルフェニル）〕ホスフェートが含まれる。界面活性剤は１〜60重量％、好ましくは３〜40重量％、より好ましくは５〜30重量％の量で分散体中に存在してよい。
ｏ／ｗ分散体に場合により加えられる別な添加剤には分散体の５〜60重量％、好ましくは10〜40重量％の量のＮ−（メチル−、エチル−またはプロピル−）ピロリドン、トリメチルホスフェート、DMSO、DMFジメチルアセトアミドおよびTHFと一緒になった分散体の３〜40重量％、好ましくは５〜20重量％の範囲のトルエン、キシレン、クロロベンゼン、ニトロベンゼンおよびアニリンがある。
系の第３の相には所望の物質が結晶化できる表面が含まれる。典型的には、この表面は、所望の化合物の結晶からなるか、またはこれから形成されるであろう。この結晶は所望の化合物で種付けするかあるいは自然結晶化に関する化学ポテンシャルにより所望の化合物を自然結晶化させることにより系に導入するのが好都合である。
本発明の３相系は一種以上の界面活性剤、つまり第１の相のマイクロエマルジョンの小滴および第３の相の結晶を形成しそして安定化するのに役立つ可溶化剤、界面活性剤および（または）分散剤を含むのが好ましい。このような可溶化剤、界面活性剤および（または）分散剤は分散体の性質に従って選択され、また非イオン性、陰イオン性および（または）陽イオン性があってよい。
好適な可溶化剤、界面活性剤および分散剤の一部リストを以下に示す。
Ｉ．非イオン性界面活性剤。これにはエトキシル化されたあるいはエトキシル化されかつプロポキシル化された〔アルキルフェノール、ジスチリルフェノールまたはトリスチリルフェノール、油（例えばヒマシ油）、オレイン酸、脂肪アルコールまたは合成アルコール、脂肪族または合成のアミンまたはアミド〕；例えば、（エトキシル化）オレイン酸または脂肪酸のエトキシル化された、あるいはエトキシル化かつプロポキシル化された蔗糖エステル（例えばソルビタンモノラウレート、POP−POEグリセロールソルビタン脂肪族エステル）；エトキシル化蔗糖エーテル（例えばアルキルポリグルコシド）；シリコーン界面活性剤（例えば、ポリオキシアルキレンポリメチルシロキサン単位を有するシリコーングリコールコポリマー）；アセチレンジオール（例えば2,4,7,9−テトラメチル−５−デシン−4,7−ジオール）；ポリエチレンオキサイド／ポリプロピレンオキサイドコポリマー；アクリルポリマー；ポリビニルアルコール；変性ポリエステルが含まれる。
II．陰イオン界面活性剤。これにはアルキルアレンスルホネート（例えばドデシルベンゼンスルホネート）；アルキルジフェニルエーテルスルホネート塩；スルホスクシネート（例えばジオクチルスルホスクシネート）；（エトキシル化）アルキルサルフェート（例えばラウリルサルフェート、ラウリルエーテルサルフェート）；亜燐酸の（弗素化）モノエステル、ジエステルおよび（または）トリエステルおよびこれらの塩（アルコールとして、例えば（エトキシル化）アルキルスチリルフェノール、ジスチリルフェノールまたはトリスチリルフェノール、アルカノール例えばC8〜18−OH、２−エチルヘキシルアルコールまたはラウリルアルコールが使用されてよい）；エトキシル化されたジスチリルフェノールサルフェートまたはトリスチリルフェノールサルフェートが含まれる。
III．陽イオン界面活性剤。これにはプロトン化（エトキシル化第１級、第２級または第３級のアミンまたはジアミン；（エトキシル化）第４級アンモニウム塩（例えばトリメチルオレイルアンモニウムクロライド）が含まれる。
IV．Ｎ−ココ−β−アミノ酪酸を含めての両性界面活性剤。
Ｖ．ナフタレンスルホネート；クモールスルホネートを含めての可溶化剤。
VI．分散剤。これにはフェニルスルホネート；（アルキル−）ナフタレンスルホネート；ポリカルボキシレート；アクリルポリマー；マレイン酸／アクリル酸コポリマー；マレイン酸／メチルビニルエーテルコポリマー；ポリビニルピロリドン；ポリビニルピロリドン／ポリスチレンコポリマー；（エトキシル化）リグニンスルホネートが含まれる。
凝集混合物中に残留する物質の活性は第１の相と第２の相との間で平衡が保たれることが、必要と言わないまでも有利である。これは、所望の物質の純粋な結晶が生長し、そして望ましくない結晶の核形成が完全に阻止されるか、あるいは望ましくない結晶の自然に形成される核が濾過、超音波、吸着などによって除去される場合に、相当する。従って、所望の物質のみが第１の相から第２の相を通って第３の相に連続して流れるので、本願の分離方法は著しく選択的である。望ましくない物質は第２の相から第３の相には全く流れないので望ましくない物質は第１の相内にとどまり、従って第１の相と第２の相との間で望ましくない物質の活性の平衡が維持される。
しかしながら本発明の方法は、残留する物質の一種以上が第３の相に流れる可能性がある場合でさえ実施することができる。この場合、所望の成分の流れが望ましくない不純物の流れより著るしく多いなら、高水準の所望の物質を得ることができる。
得られる純度が慣用の２相結晶化方法におけるのと同じかあるいはより低くても、母液中の所望の物質の損失が慣用の方法よりかなり少なくなりうるので、３相結晶化方法として結晶化を行うことに、なおかなりの経済的関心がある。
所望の物質への種結晶添加は、様々な方法によって行ってよい。種結晶は量、寸法、晶癖、多形（modification）、分子種（種々の化合物、同族体、異性体、ジアステレオマー、エナンチオマー）および（または）イオン性化合物に応じて選択してよい。種結晶は異なるイオン性化合物または分子状化合物（例えば同族体、異性体、ジアステレオマーまたはエナンチオマー）の混合物あるいは異なる量の種々の多形、晶癖、寸法を有する結晶からなってよい。
種結晶添加に際しては、一次または二次の核形成によって惹起される種結晶が添加されていない化学種の結晶化を防止するのが通常好ましい。
一次核形成は、適度の過飽和により、界面活性剤および溶媒、特に、第１の相にある凝集混合物に比較的良好な溶媒として役立つが、−系のエントロピーがより大きいので特により高い温度において−、室温下の第２の相中で５％より大きい溶解度を示す溶媒およびその量を適当に選ぶことにより、温度、粘度および撹拌を選定することにより防止することができる。
形成された核は直ちに、例えば超音波によるか、あるいは濾過法で、または母液が種結晶添加されて生長する結晶から例えば連続再循環方式で濾過された後、超音波または熱による再均質化法で微小な種結晶を除去することにより、そして（あるいは）二次核形成を阻止することにより除去することができる。
二次核形成は適当な、穏和な撹拌により防止でき、そしてまた、細片に破壊される傾向が強くなく所望の成分に対する新たな種結晶として働き、また（あるいは）容易に破壊される結晶が不均一に生長したりまたはこわれたりするため、好ましくない結晶が生長し始める個所および（または）表面を供与する、一層稠密な結晶形を選択的に生長させることによっても防止することができる。
結晶の生長速度は、過飽和度に依存する結晶化過程で発生した化学ポテンシャルにより、溶媒および添加剤を適切に選択することにより制御可能な、所望の物質の第２の相内での溶解度を通常は制限することにより、あるいは結晶の表面に微細環境例えば遅延性のそして（または）選択性の層または膜として機能することのできる界面活性剤、分散剤、ポリマーを適当に吸着させることにより最適化することができる。
この結晶化工程は広い範囲（例えば−20℃〜＋80℃）の最適温度で行うことができる。すでに述べた添加剤もまた凍結防止剤として役立つであろう。
この結晶化工程は結晶化の際の適当な撹拌（例えばかきまぜ、振盪、ポンピングおよび（または）超音波）によって最適化することができる。
結晶化が完了した後、簡単な濾過を行い引続いて、相２と同様のあるいは相２と同じ溶媒を用いて完全に洗浄することによって沈殿を得ることができる。例えばｏ／ｗマイクロエマルジョンからの沈殿は水で洗浄し、一方ｗ／ｏマイクロエマルジョンからの沈殿は油で洗浄して、残留するマイクロエマルジョン、界面活性剤、分散剤、溶媒などを除去することができる。溶媒は、結晶性沈殿の洗浄液中での完全な再分散を助けるために追加的な界面活性剤または分散剤をさらに含有してよく、これにより洗浄工程が一層効率的になる。
本発明の３相系については、様々な態様が考えられている。
第１の相および第２の相は「水中油」（ｏ／ｗ）分散体または「油中水」（ｗ／ｏ）分散体からなってよい。ここで用いる「油」とは水溶性の低い溶媒例えば本願においてすでに述べた水溶性の低い溶媒をさす。ｏ／ｗ分散体およびｗ／ｏ分散体ならびにこれらをつくる方法はそれ自体当技術分野では知られている。凝集混合物は、その過飽和溶液をつくるために、すでに述べたもののような一種以上の非極性で、両親媒性または極性の溶媒と一緒にするのが好都合であり、凝集混合物は「油」そのものであつてよい。
表面活性剤は0.1〜99重量％、好ましくは３〜33重量％の範囲の量で通常存在する。
分散体の温度は一定に保つのが好ましい。場合により、分散体は結晶化工程を強化するために撹拌するか、あるいは混ざり物のない結晶の生長を促進しそして自然に形成する核を破壊するために弱い超音波で処理することができる。
本発明を実施する好適な方法を以下に示す。
第２の相に少なくとも部分的に溶解しない溶媒または溶媒混合物中に、場合により溶解させた凝集混合物からなる第１の相を第２の相および界面活性剤と一緒にする。所望なら、分散剤、発泡防止剤、溶解度調整剤、凍結防止剤などを含め別な添加剤もまた添加されてよい。
直径が500nmより小さい、好ましくは５〜200nmである第１の相のマイクロエマルジョンの小滴の第２の相中での分散体の形成を促進するために、これらの相を撹拌する。
分散体を所望の結晶化温度にした後、凝集混合物の所望の物質を結晶化するために、量、寸法、晶癖、純度、多形および分子および（または）イオン組成に応じて選択された一つ以上の種の種結晶の懸濁液を添加する。そうすると、種結晶が添加された成分は、分散体が静置されているか、あるいは撹拌されている（振盪またはかきまぜまたはポンピングまたは超音波で穏和に処理される）うちに、一定の時間内に選択的に結晶化する。
本発明の分離方法はバッチ法または連続法として実施されてよい。本方法を連続的に実施する一つの方法を図１を参照しながら以下に示す。
凝集混合物は粗い固形物粒子として（あるいは図１の装置で使用するのに適当な別な形またはその変形で、例えば凝集液状混合物によってコートされた粗い固形物担持体として、あるいは粘稠なまたはペースト状のものとしてあるいは液体として）適当な容器または筒状物３の入口２を通じて回分式にまた連続的に導入され、そしてここを通って連続的に移送されてよい。凝集混合物は液状混合物または懸濁液として導入されてもよく、これらは例えば微細な篩あるいは多孔性の膜または拡散によって透過されうる膜を通じてポンプ送入され、これによって物質をこの固体隔壁から３相結晶化の分散系内に溶解させる。容器または筒状物３内のマイクロエマルジョンおよび供給凝集混合物はかきまぜ、振盪、ポンピングおよび（または）超音波などによって適切に撹拌してよい。所望の物質でまたは凝集混合物でマイクロエマルジョンを過飽和させるために、容器または筒状物３内のマイクロエマルジョンおよび供給凝集混合物は結晶装置におけるより高い温度で、例えば加熱されてよく、あるいは超音波で処理されてよい。凝集化合物が所望の化合物の結晶より溶解度が大きい（例えば過冷却された融解物、ガラス様物質または溶解性が一層高い多形結晶）ならば、過飽和が十分に行われるように凝集混合物を結晶化温度にあるマイクロエマルジョンに少なくとも部分的に溶解すれば十分である。
マイクロエマルジョン４からの結晶化は容器５内で行なわれ、この容器内には例えば適当な入口７を通じて第３の相６が例えば種結晶の懸濁液の形態で導入されてよい。結晶装置内の分散体は供給物槽３におけるより低い温度、例えば20℃に保たれるのが好ましい。マイクロエマルジョンは、結晶装置内で生成する結晶をすべて捕捉するためにフィルター８を通じて、場合によっては、マイクロエマルジョンの温度を供給物槽３の温度まで上昇させるために熱交換器９を通して、次いで精製すべき凝集混合物１の入った供給物槽３にポンプ送入される。円筒の十分な長さにわたって、あるいは十分な時間、マイクロエマルジョンを凝集混合物と接触させた後、再び装荷されたマイクロエマルジョンは濾過器１０を通じ、そして場合によってはマイクロエマルジョンの温度をそのもとの温度にもどすように（本例では50℃から20℃へ）調整するために熱交換器９ａを通過するようにポンプ送入される。容器５内の分散体は慣用の撹拌機１２を使用して撹拌するのが便利である。この分散体は、自然の核化によって形成される核を直ちに破壊する手段としての弱い超音波によって処理してもよい。
形成される結晶は、例えば結晶分離器１３および結晶搬出器１４（図示せず）を用いる慣用の手段により分離させてよく、あるいは篩、サイクロンまたは遠心分離により分級して分散体から分離してよい。結晶はまた、篩分または遠心分離により種々の寸法別にさらに分離してもよい。寸法の種々の各階級は特定の３相結晶化法に応じて種々の結晶化学種（多形結晶、異性体、化合物）を含んでよい。結晶は溶解性が極めて低い、例えば相２に似た極性を有する液体で洗浄してもよい。廃棄物質１５は連続的または回分式に搬出されてよい。
加熱／冷却による連続過飽和のための以上に述べた装置は、慣用の方法で加熱／冷却に加えて、あるいはこれらの代わりに超音波を用いる連続過飽和に好適な装置に改変してよい。
この装置に対する改変は可能でありまた本発明の範囲に属するものと考えるべきである。例えば凝集混合物１およびマイクロエマルジョン４は並流となって移動してよく、この場合、各相は凝集混合物１を最適に使用し、そしてマイクロエマルジョン４を最適に過飽和させる異なる速さで移動するのが好ましい。
実施例
すべての化合物はさらなる精製を行わずに使用した。界面活性剤Phodafac RE 610およびSoprophor FLは、
0004157602.tif 000003
Surfynol465はAir Productsから、Synperonic NP 10はICIからそしてNa-Laurylsu-lfateはFlukaから入手。撹拌を行うために振盪機（Buhler KL Tuttlingen）を使用した。得られる結晶の純度はPolarMonitor偏光計（IB2 Hannover；溶媒としてエタノール；結晶の全量を溶解；セル１ml；20℃）を使用することにより測定した。
実施例449の準備
45mgの（R,R）−ヒドロベンゾインおよび（S,S）−ヒドロベンゾイン（HBZ；純度＞97％）を、５mlのバイアル中で80℃に加熱することにより、20％v／vの２−ヘキサノール、12％v／vのRhodafac RE 610、６％v／vのSoprophor FLおよび62％v／vの１mlの混合物中に溶解した。HBZを完全に溶解した後、マイクロエマルジョンを室温まで冷却し、そして振盪機（420rpm）を用いて撹拌を行った。２時間にわたって自然結晶化は何ら認めることはできなかった。次いで混合物に同様の条件下で生長した（S,S）−（−）−HBZの純粋な結晶の微粉砕した稀薄な懸濁液を２滴種結晶として添加した。２時間撹拌を行った後、得られる結晶を濾去して、水で洗浄し、窒素の緩い流れの中で乾燥した。
下記の表Ａに示す実施例は成分を変更して実施例449に関する手順に従って調製した。得られた結果を示す。
実施例309の準備
35mgのＲ−1.1′−ビ−（２−ナフトール）およびＳ−1.1′−ビ−（２−ナフトール）（BNA；純度99％）を、５mlのバイアル中で50℃に加熱することにより、９％のＮ−メケル−ピロリドン、９％v／vの２−ヘキサノール、10％v／vのRhodafac RE 610、５％v／vのSoprophor FLおよび68％v／vの水の１mlの混合物中に溶解した。BNAを完全に溶解した後、マイクロエマルジョンを室温まで冷却しそして振盪機（350rpm）を用いて撹拌を行った。２時間にわたって自然結晶化は何ら認めることができなかった。次いで、混合物に同様の条件下で生長した（R+）−BNAの純粋な結晶の微粉砕した稀薄な懸濁液の２滴を種結晶として添加した。２時間振盪を行った後、得られる結晶を濾去し、水で洗浄し窒素の緩い流れの中で乾燥した。
収率；無色の結晶5.4mg（15.4％）
純度＞90％Ｒ
0004157602.tif 000004
0004157602.tif 000005
0004157602.tif 000006
【図１】
0004157602.tif 000007